(57)【特許請求の範囲】
【請求項１】
上方に性フェロモン等の誘引剤を取付けた捕虫器に於て、該捕虫器の下方にボトル用上筒を設け、かつ該ボトル用上筒の内周壁下部に上部外周を係合して連結し得る下ボトルを前記ボトル用上筒内に収納して構成したことを特徴とした捕虫器。
【請求項２】
上部に蓋を有する中空傘体の下方に離間して漏斗状シューターを連結して構成したことを特徴とした請求項１の捕虫器。
【請求項３】
前記中空傘体の一部に吊穴を設けて構成したことを特徴とした請求項１或は請求項２の捕虫器。
【発明の詳細な説明】
【０００１】
【発明の属する技術分野】
本発明は蛾等の虫を捕獲することが出来る乾式の捕虫器に係り、特に漏斗状シューターを有する中空傘体とこの中空傘体の下部に組込んで取付けられる伸縮自在なボトルとの組み合わせよりなる捕虫器に関するものである。
【０００２】
【従来の技術】
従来、性フェロモン等の誘引剤を徐放する放香具を用いて蛾等の虫を捕獲する捕虫器（トラップハウジング）としては、粘着式捕虫器と乾式捕虫器との２種類が実用化されている。
【０００３】
前者の粘着式捕虫器は、三角筒等の所定の開放された構造を持ったハウジングの内天井に、性フェロモン等の誘引剤を徐放する放香具を固定し、ハウジングの内底面に捕虫用粘着シートを敷設して構成したものである。
【０００４】
また、後者の乾式捕虫器は、下端に漏斗状シューターを有し、かつ蓋の天井面に前記放香具が固定された中空傘体と、この中空傘体の漏斗状シューターの下部に取付けられたボトルとを組み合わせて構成したものである。
【０００５】
【発明が解決しようとする課題】
然るに、前者の粘着式捕虫器は、ハウジングの内底面に敷設された捕虫用粘着シートに蛾等の虫がある程度の数量だけ粘着して捕獲してしまうと、それ以上の虫を捕獲することが出来なくなる問題があった。また、粘着式捕虫器の場合には、街路樹等の枝や葉や、ほこり等が粘着シートに付着して、捕獲性能を低下させたり、ハウジング内に鳥などが、あやまって入り込み捕えられたりする問題もあった。従って、ハウジング内の捕虫用粘着シートを一年の内に何回も取り替えなければならず、その作業が煩雑である問題があった。特に街路樹等の大きな木の上方に捕虫器を取付けた場合には、長い梯子や特殊な車を使用しなければならず、作業が困難であった。
【０００６】
また、後者の乾式捕虫器の場合にも、ボトルの高さが小さいものでは、捕獲に多量の虫を収納出来ないので、ボトルを何回も取り替えなければならず、前記粘着式捕虫器と同様に作業が煩雑であったり、取り替え作業が困難である問題があった。更に、ボトルの高さを大きくした場合には、多量の虫を収納出来るが、捕虫器全体の高さ及び容積が極めて大きくなり、これ等の捕虫器を大量に保管したり、搬送したり、或いは廃棄したりするのに不便で不経済である問題があった。
【０００７】
本発明に係る捕虫器は、前述の従来の多くの問題点に鑑み開発された全く新しい技術であって、特に漏斗状シューターを有する中空傘体とボトルとより構成される捕虫器に於いて、ボトルをボトル用上筒と下ボトルとで形成し、該下ボトルをボトル用上筒の中に収納したり、或いはボトル用上筒の下部に下ボトルを連結してボトル全体を自在に伸縮し得る捕虫器の技術を提供するものである。
【０００８】
【課題を解決するための手段】
本発明に係る捕虫器は、前述の従来の問題点を根本的に改善した技術であって、その捕虫器の第１発明の要旨は、上方に性フェロモン等の誘引剤を取付けた捕虫器に於て、該捕虫器の下方にボトル用上筒を設け、かつ該ボトル用上筒の内周壁下部に上部外周を係合して連結し得る下ボトルを前記ボトル用上筒内に収納して構成したことを特徴とした捕虫器である。
【０００９】
また、本発明に係る捕虫器の第２発明の要旨は、上部に蓋を有する中空傘体の下方に離間して漏斗状シューターを連結して構成したことを特徴とした第１発明の捕虫器である。更に、第３発明の要旨は、前記中空傘体の一部に吊穴を設けて構成したことを特徴とした第１発明或は第２発明の捕虫器である。
【００１０】
【発明の実施の形態】
図により本発明に係る捕虫器の一実施例を具体的に説明すると、図１は本発明に係る捕虫器の側面図、図２は図１の捕虫器の各構成部品を示す側面図、図３は図２の各構成部品の縦断面図、図４は中空傘体の構成を示す縦断面図、図５は図３の各構成部品を組立てた状態の縦断面図、図６は図５の状態の捕虫器を段ボール箱に収納した状態の説明図、図７は使用状態を示す斜視説明図である。
【００１１】
図１乃至図７に於いて、１は中空傘体であって、上部のリング状鍔体２と下部の漏斗状シューター３とが４本の脚４によって相互に一体的に連結されており、４本の脚４の相互間は蛾等の虫が自由に浸入し得る如く、大きな開放口５が設けられている。
【００１２】
前記リング状鍔体２の起立上縁２ａ内には、皿状の蓋６が嵌着固定されており、これ等の起立上縁２ａ及び蓋６の周壁には夫々吊下穴７を水抜穴８とが穿設されている。またリング状鍔体２の水平鍔部２ｂには支持紐９を挿通し得る支持穴１０が穿設されている。また、前記４本の脚４の下端部は、特に図３等に示す如く、漏斗状シューター３の外周壁の外側に迄吊下突出され、その４本の脚４の下端部内側には爪１１が突設されている。
【００１３】
１２は円筒状のボトル用上筒であって、その外周上縁には、前記４本の脚４の爪１１に係止し得る鍔縁１３が突設されており、かつその内周下端部には、小径の絞り縁１４が形成されている。１５は下ボトルであって、該ボトル用上筒１２内に収納し得る外径寸法を有し、かつその外周上縁には、前記小径の絞り縁１４に係合し得る鍔縁１６が形成されている。
【００１４】
本発明の捕虫器に使用されるボトルは、前述のようなボトル用上筒１２と下ボトル１５とより構成されている。そして、ボトルとして使用する場合には、図１及び図７に示す如く、ボトル用上筒１２内に収納されいる下ボトル１５をその底部から下方向に引下げ、下ボトル１５の鍔縁１６をボトル用上筒１２の絞り縁１４に係合し、ボトル全体の深さをほぼボトル用上筒１２と下ボトル１５との高さの和に等しい深さにすることが出来る。これによって、捕獲した多量の虫をボトル内に収納することが出来る。
【００１５】
次に、捕虫器を保管或いは搬送または廃棄する場合には、図５及び図６に示す如く、下ボトル１５をボトル用下筒１２の底部よりボトル用上筒１２内に押し込み、ボトル全体の高さをち小さくすることによって、段ボール箱１７等に収納し、この状態で保管したり、搬送したり、或いは廃棄することが出来る。
【００１６】
前述の実施例に於いて、リング状鍔体２と漏斗状シューター３と及びこれ等を相互に連結している４本の脚４とは、プラスチックスの射出成形方法を用いることによって一体成形が可能であるが、蓋６はこれ等のものと一体成形することが出来ないので、蓋６は別に成形したものを、後からリング状鍔体２の起立上縁２ａ内に嵌着して固定することが出来る。
【００１７】
前述のボトルは、ボトル用上筒１２内に下ボトル１５を収納した状態で、そのボトル用上筒１２の鍔縁１３を中空傘体１の４本の脚４の爪１１に強く係合し、これによってボトルを中空傘体１に連結することが出来る。
【００１８】
本発明に係る捕虫器の使用に当たっては、図１及び図７に示す如く、蓋６の下面中央部に性フェロモン等の誘引剤を徐放する放香具１８を取付け、かつ吊紐１９の両端を吊下穴７に通して捕虫器を樹木の所定の枝２０等に吊下げ、かつ水平鍔部２ｂの支持穴１０に支持紐９を挿通して取付けると共に、その他端を枝等に固定して捕虫器を安定させながら樹木等に取付けて使用することが出来る。
【００１９】
本発明に係る捕虫器は、上述の如く、捕獲した虫を多量に集めることが出来るボトルをボトル用上筒１２とボトル１５とで構成し、かつ下ボトル１５をボトル用上筒１２内に収納してボトルの高さを小さくしたり、或いは下ボトル１５を下方に引出してボトルの深さを大きくしたりすることが自在に出来るので、保管時や、搬送時に、或いは捕虫器を廃棄する際に嵩張らず、取り扱いが便利である。
【００２０】
従って、本発明に係る捕虫器は、前述の従来の乾式捕虫具の如く、街路樹等の高い木に登って捕虫器のボトルを取り替える作業をせずに、ボトル内にある程度の量の虫を集めた場合には、捕虫器全体を取り替えて処分することが出来る。捕虫器を廃棄する場合には、ボトルを前述のように縮小させて捕虫器をコンパクトにして、捕獲した虫はそのままの状態で廃棄することが出来る。
【００２１】
【発明の効果】
本発明に係る捕虫器は、前述の構造と作用とを有するので、中空傘体の下部に取付けられたボトルを必要に応じて伸縮させて使用することが出来る。従って、虫を集める場合には、ボトルを下方に伸ばすことによって、捕獲した多量の虫を収納することが出来、かつ捕虫器を保管、搬送或いは廃棄する場合には、縮小させて場所を大きく専有させないようにすることが出来る。
【００２２】
本発明に係る捕虫器は、全体の構造が簡単であり、安価に大量生産することが出来、かつ前述のようにコンパクトに縮小出来るので、従来の如く、捕虫器の一部のボトルを取り替える煩雑な作業が全く不要であり、捕虫器全体を簡単に取り替えることが出来、使用後の捕虫器は使い捨て状に廃棄することが出来る。
【図面の簡単な説明】
【図１】本発明に係る捕虫器の側面図である。
【図２】図１の捕虫器の各構成部品を示す側面図である。
【図３】図２の各構成部品の縦断面図である。
【図４】中空傘体の構成を示す縦断面図である。
【図５】図３の各構成部品を組立てた状態の縦断面図である。
【図６】図５の状態の捕虫器を段ボール箱に収納した状態の説明図である。
【図７】使用状態を示す斜視説明図である。
【符号の説明】
１    中空傘体                    ２      リング状鍔体
２ａ    起立上縁                    ２ｂ      水平鍔部
３    漏斗状シューター            ４      脚
５    開放口                      ６      蓋
７      吊下穴                      ８        水抜穴
９        支持紐                      １０          支持穴
１１        爪                                                    １２          ボトル用上筒
１３      鍔縁                                                １４      絞り縁
１５        下ボトル                                  １６      鍔縁
１７        段ボール箱                                    １８          放香具
１９        吊紐                                        ２０            枝
【図１】
0003602672.tif 000002
【図２】
0003602672.tif 000003
【図３】
0003602672.tif 000004
【図４】
0003602672.tif 000005
【図５】
0003602672.tif 000006
【図６】
0003602672.tif 000007
【図７】
0003602672.tif 000008